(57)【要約】【課題】  写真スタジオ用デジタルカメラで、ファインダー像のライブ画像および複数の撮影結果を直結したパソコンのモニタ画面に表示して、プリント画像を選択してプリントするシステムにおいて、選択画像の構図を再確認すると同時に主被写体のピントや表情の確認ができる。【解決手段】  写真スタジオ用デジタルカメラに直結したパソコンのモニタ画面に表示したプリント画像を選択してプリントするシステムにおいて、複数の撮影結果からプリント画像を選択する際、撮影結果画像内の主被写体部を触れることにより、ファインダー像のライブ画面表示部に選択画像を表示すると同時に、撮影結果画像表示部には主被写体を中心とした拡大像を表示する。【選択図】  図１
2005295476.tif 000002
【特許請求の範囲】
【請求項１】
デジタルカメラと該デジタルカメラに直結されたモニター装置と選択された撮影結果をプリントするプリンターと前記デジタルカメラおよび前記プリンターのリモート操作を司る操作部材とを有するスタジオ撮影装置において、
前記モニター装置の表示画面上には少なくとも前記デジタルカメラのファインダーライブ像と複数枚の撮影結果画像のサムネイル画像と前記デジタルカメラの撮影情報とを有し、
前記ファインダーライブ像や前記撮影情報を見ながら前記操作部材により前記デジタルカメラのリモート操作を可能とし、
前記モニター上に表示された複数の撮影結果からプリント画像を選択する際に選択画像の主被写体に相当する部分の操作部材により選択画像を前記ファインダーライブ像表示部に表示すると共に、
選択画像表示部には前記主被写体を中心とした拡大画像を表示することを特徴としたスタジオ撮影装置。
【請求項２】
前記操作部材では前記選択画像をプリント指示可能であることを特徴とした請求項１記載のスタジオ撮影装置。
【請求項３】
前記操作部材とは前記モニター装置の表示画面上に設けられたタッチパネル装置であることを特徴とした請求項１記載のスタジオ撮影装置。
【発明の詳細な説明】
【技術分野】
【０００１】
本発明は、写真スタジオ用デジタルカメラで、ファインダー像のライブ画像および複数の撮影結果を直結したパソコンのモニター画面に表示して、プリント画像を選択してプリントするスタジオ撮影装置に関する。
【背景技術】
【０００２】
デジタルカメラとそのファインダー像と撮影結果を表示するモニター装置が直結され、その選択された撮影結果をプリントするプリンターを有するスタジオ撮影装置がある。この装置ではモニター画面のファインダーライブ像を見ながらシャッターレリーズ動作を行なうことができ、撮影結果を複数表示して、最良の結果を選択し、プリントすることができる。
【発明の開示】
【発明が解決しようとする課題】
【０００３】
特開２００４−５６７４２に開示されているような上記のスタジオ装置のモニター画面１０００では図１０のように、ファインダーライブ像１００１、複数の撮影結果表示１００２〜１００４、デジタルカメラ操作部材１００５、プリンター操作部材１００６などの表示が必要となり、限られたモニター画面多数の表示をするために、撮影結果の表示画像の解像度はモニター画面の解像度に制限されてしまうためプリント用に記録媒体に記録保存される撮影画像の解像度よりも低く、記録画像より鮮明度が低い画像として表示される。
【０００４】
このため、撮影者がシャッターレリーズした際に、撮影した画像がピント合わせの不良等によるピンボケや被写体ブレになっていてもその時点で表示装置に表示される画像からは判断できない場合があるという問題点があった。
【０００５】
なお、撮影結果を表示する場合に画像の一部を拡大表示できる機能を備えたスタジオ撮影装置がある。このような撮影装置を用いた場合には撮影者は撮影結果画像を一部拡大してピントの確認をすることができる。しかし、この場合には、撮影結果画像が拡大してしまうので、撮影の構図が見えなくなってしまうという問題点があった。
【０００６】
本発明は、上記問題点を解決するためになされたものであり、撮影時の画像のピント確認や、ブレ等の画像状態の確認する事ができると同時に、撮影構図も確認することのできるスタジオ撮影装置の提供を目的とする。
【課題を解決するための手段】
【０００７】
上記目的を達成するため、デジタルカメラとそのデジタルカメラに直結されたモニター装置と、選択された撮影結果をプリントするプリンターと、前記デジタルカメラおよび前記プリンターのリモート操作を司る操作部材とを有するスタジオ撮影装置において、前記モニター装置の表示画面上には少なくとも前記デジタルカメラのファインダーライブ像と、複数枚の撮影結果画像のサムネイル画像と、前記デジタルカメラの撮影情報を有し、前記ファインダーライブ像や前記撮影情報を見ながら前記操作部材により前記デジタルカメラのリモート操作を可能とし、前記モニター上に表示された複数の撮影結果からプリント画像を選択する際に選択画像の主被写体に相当する部分の操作部材により選択画像を前記ファインダーライブ像表示部に表示すると共に、選択画像表示部には前記主被写体を中心とした拡大画像を表示することを特徴とする。
【０００８】
また上記操作部材は選択した撮影画像をプリント指示することもできる。
【０００９】
また上記操作部材とは前記モニター装置の表示画面上に設けられたタッチパネル装置であってもよい。
【発明の効果】
【００１０】
以上説明したようにモニター１０３上に表示された複数の撮影結果からプリント画像を選択する際に選択画像の主被写体に相当する部分の操作部材により選択画像をファインダーライブ像表示部に表示すると共に、選択画像表示部には前記主被写体を中心とした拡大画像を表示することによって、主被写体のピントや被写体ブレ、手ブレなどの確認と、撮影画像の構図確認が同時に行うことができる。また、被写体画像の任意の部分を拡大表示して画像中、小さくて良く認識できない部分や注目部分の拡大して見直すこともできる。
【発明を実施するための最良の形態】
【００１１】
図１は、本発明のスタジオ撮影装置の一実施例としてのシステム図である。１０９は三脚１０１などの撮影台上に設置された後述のデジタルカメラ、１０２は被写体照明用のストロボ装置、１０４は撮影画像を取り込み、１０１のリモート操作、プリンター１０５の制御をしたりするパソコンである。１０３はモニター装置である。１０３の画面上には透明電極等で構成されたタッチパネルが装着されている。１００と１０２は公知のシンクロコード１０６で接続されている。１００と１０４は公知のＵＳＢコード１０７等で接続されている。１０４と１０５は公知のＵＳＢコード１０８等で接続されている。
【００１２】
＜回路構成例＞
図２は、本発明のスタジオ撮影装置の一実施例としてのデジタルカメラ１０９の回路構成例を示すブロック図であり、１，３は撮影レンズであり、説明の便宜上２枚のレンズで示したが、実際は更に多数枚のレンズから構成されている。２は絞りで、撮影レンズ１，３からの光量を調整する。４は主ミラーで、ファインダー系による被写体像の観察状態に応じて撮影光路へ傾斜され或いは退避される。５はサブミラーで、主ミラー４を通過した光束をカメラボディの下方に位置する焦点検出のためのレンズ系１１及びラインセンサー１２へ向けて反射する。
【００１３】
６はシャッター、７はＣＣＤやＭＯＳ型等の撮像素子、８は撮影レンズ１，３の予定結像面に配置されたピント版及び測距枠のマーク等を表示するファインダー内のＬＣＤ（透過型液晶表示器）等の表示器、９はファインダー光路変更用のペンタプリズム、１０は結像レンズ、１１は焦点検出のためのレンズ系、１２は焦点検出のためのラインセンサーである。
【００１４】
１３は撮影レンズ１，３内に配置され且つ焦点調節を行う焦点調節回路、２８はファインダー光路系の上部に配置された測光回路とその出力をＡＤ変換する回路、１４は撮影レンズ１，３内に配置されかつ絞り２を駆動する絞り駆動回路、１５は主ミラー４を駆動するミラー駆動回路、１６はラインセンサー１２を駆動するラインセンサー駆動回路、１７はシャッター６を駆動するシャッター駆動回路、１８は撮像素子７を駆動する撮像素子駆動回路、１９は撮像素子７から出力されるアナログ撮影信号をデジタル信号に変換するＡ／Ｄ変換回路、２０はＡ／Ｄ変換回路１９によりデジタル変換された撮影信号に対して信号処理を施す信号処理回路である。
【００１５】
２１はデジタル画像信号等を一時的に保存するＲＡＭ（ランダムアクセスメモリ）、２２は本デジタルカメラを制御するための制御プログラム等が記憶されているＲＯＭ（リードオンリーメモリ）、２３はデジタル画像信号を最終的に記録するためのコンパクトフラッシュ（登録商標）（ＣＦ）等の記録媒体、２４はマイクロコンピュータの中央演算処理装置（ＣＰＵ）、２５は撮影したデジタル画像信号を表示するためのＬＣＤ表示器である。
【００１６】
２６は図１に示すシャッターボタン３７で操作されるレリーズスイッチや図３記載の各種機能ボタン３１〜３３やダイヤル３４，３８、電源スイッチ３５等の各種ボタンに連動するスイッチ入力で、撮影者によって操作されると対応の信号をＣＰＵ２４に送出する。
【００１７】
レリーズスイッチ（レリーズＳＷ）は、少なくとも２つ以上の接点を有するスイッチからなり、例えば、押下される量に応じて状態が２段階に切り替わる構造となっており、途中まで押下した場合には第１の接点（以下、ＳＷ１と記述する）が選択され、最後まで押下した場合には第２の接点（以下、ＳＷ２と記述する）が選択される。ＳＷ１が選択された場合にはＡＦ（自動焦点）やＡＥ（自動露出）等の撮影準備動作を行い、ＳＷ２が選択された場合には撮影動作及びデジタル画像データの作成動作及び記録動作を行う。
【００１８】
２７はＩ／Ｏポートであり、図１の１０７を介して１０４との接続を可能とし、１０４によって１０９の制御を可能としている。
【００１９】
＜外観例＞
図３は、デジタルカメラ１０９の背面外観の一例を示す外観図である。デジタルカメラ１０９の本体６０の上面には、機能選択用の機能ボタン３１〜３３，選択メインダイヤル３４およびシャッターレリーズボタン３７等が配設されており、側面には電源収納口３９が配設されている。
【００２０】
背面には、選択サブダイヤル３８および２５からなる液晶表示部４０、ファインダー接眼部にはファインダーライブ像を撮らえるためのＣＣＤカメラ３６が配設されている。また、図示しない前面には、撮像レンズ、画像出力端子等が設けられている。
【００２１】
各種キーやボタン操作による各モードヘの分岐や機能の実行は、各ボタン等の操作により２６からＣＰＵ２４に送られる状態信号を調べて対応のモード処理用回路或いはプログラムに分岐するモード判定モジュール（実施例ではプログラムで構成）によって行なわれる。
【００２２】
＜撮影手順＞
次に、上記構成になる本実施の形態に係るスタジオ撮影装置の撮影動作について説明する。
【００２３】
図４は、本発明のスタジオ撮影装置を用いての撮影手順を示すフローチャートである。Ｓ１で電源スイッチ等によって装置の電源を入れると、１０４，１０３，１０５，１０２，１０９に電源が投入される。
【００２４】
Ｓ２でデジタルカメラ１０９のファインダー接眼部に取り付けられたＣＣＤカメラ３６によって１０９のファインダー像をモニター画面１０００上にライブ画像１００１として表示される（図５（ａ））。これにより使用者は画像全体の構図や色合等を見てカメラを移動させてアングル調整を行なうことができる。フォーカス調整はライブ画像１００１を見て、マニュアルフォーカスやオートフォーカスによって撮影者が行なう。
【００２５】
Ｓ３で、撮影者がデジタルカメラ１０９のレリーズボタン３７の半押しするか、１０４からのリモコン操作でＳＷ１をＯＮすることによって撮影動作に入ると、まず、ステップＳ４で測光回路２８により被写体の明るさが測定され、撮影時の絞り値及び露光時間が決定される。次に、ステップＳ５でオートフォーカスやマニュアルフォーカスによってピント合わせが行われる。
【００２６】
Ｓ６でレリーズボタン３７の全押しするか、１０４からのリモコン操作でＳＷ２をＯＮすることによって１０９のレリーズ動作に入る。
【００２７】
ステップＳ７では、絞り羽根２を絞り駆動回路１４によって駆動することにより、前記ステップＳ４において定められた絞り値に設定（絞りがセット）する。次に、ステップＳ８撮像素子７は前記ステップＳ４において定められた露光時間で撮影を行い、次のステップＳ９で撮像素子（ＣＣＤ）７に蓄積された電荷信号を読み出す。
【００２８】
ステップＳ１０で撮影信号をＡ／Ｄ変換回路１９でＡ／Ｄ変換し、Ｓ１０で信号処理回路２０において信号処理を施して、Ｓ１１でデジタル画像信号としてＲＡＭ２１に一時的に保存する。該ＲＡＭ２１に一時的に保存されたデジタル画像信号に対して圧縮処理を施し、ファイルとして記録媒体２３に保存して撮影を完了する。
【００２９】
シャッター６が閉じられた後の処理と並行して、主ミラー４の回復、絞り２の開放が行われる。
【００３０】
Ｓ１２で撮影結果を１００２に表示する。Ｓ３〜Ｓ１２のステップを３回繰り返して１００３，１００４へそれぞれ撮影結果を表示した後Ｓ１３で撮影を終了する。
【００３１】
図５（ｂ）の様に撮影結果が表示され、Ｓ１４で画像の選択を行う。ここで、画像を選択する際、ピントの確認をしたい部分、例えば図５（ｂ）のように男の子の顔の部分に触れる（Ｓ１５）ことによって図５（ｃ）のように、１００１に１００２の画像は大きく表示され、１００２には１００２の拡大画像を表示する（Ｓ１６）。
【００３２】
１００１の構図が気に入り、１００２でピントの確認ができたら（Ｓ１７）、１００５に触れることにより、選択された画像のプリントが、１０５によって行われる（Ｓ１８）。気に入らなければ、Ｓ１４へ戻り、画像の選択をし直す。
【００３３】
さらに別のグループを撮影する際にはすべての画像をリセットし（Ｓ２１）、Ｓ３へ戻る。
【００３４】
撮影を終了する際にはＳ１９からＳ２０へ進み、装置に電源をＯＦＦにする。
【図面の簡単な説明】
【００３５】
【図１】本実施の形態に係るスタジオ撮影装置の構成図。
【図２】図１の内デジタルカメラの回路ブロック図。
【図３】デジタルカメラの外観図。
【図４】スタジオ撮影装置を説明するためのフローチャート。
【図５】モニター画面の説明図。
【図６】従来のスタジオ撮影装置のモニター画面。
【図１】
2005295476.tif 000003
【図２】
2005295476.tif 000004
【図３】
2005295476.tif 000005
【図４】
2005295476.tif 000006
【図５】
2005295476.tif 000007
【図６】
2005295476.tif 000008